(57)【要約】【課題】表示画像の品質を向上することができる受信システムを提供する。【解決手段】アンテナ１１およびＲＦ回路１２は、無線送信される画像データを受信する。品質情報生成回路１４は、画像データの品質を示す品質情報を生成する。判定情報生成回路１７は、品質情報に基づいて画像データの品質を判定し、判定結果を示す判定情報を生成する。表示機は、判定情報に基づいて、画像データに対して補正処理を行い、補正処理後の画像データに基づいて画像を表示する。【選択図】図４
2009231977.tif 000002
【特許請求の範囲】
【請求項１】
無線送信される画像データを受信する受信部と、
前記画像データの品質を示す品質情報を生成する品質情報生成部と、
前記品質情報に基づいて前記画像データの品質を判定し、判定結果を示す判定情報を生成する判定情報生成部と、
前記判定情報に基づいて、前記画像データに対して補正処理を行う補正部と、
補正処理後の前記画像データに基づいて画像を表示する表示部と、
を備えたことを特徴とする受信システム。
【請求項２】
前記品質情報生成部は、前記入力データの変化点を検出し、前記変化点の時間的位置毎の頻度を示すヒストグラムを前記品質情報として生成することを特徴とする請求項１に記載の受信システム。
【請求項３】
前記画像データの処理に用いるクロック信号の位相を前記ヒストグラムに基づいて調整する位相調整部を備えたことを特徴とする請求項２に記載の受信システム。
【請求項４】
前記画像データは、冗長性を有するコードで構成され、
前記品質情報生成部は、前記画像データから前記コードの冗長性を取り除く処理を行うと共に、通信に伴う前記画像データのエラーを検出し、前記エラーの検出結果を示すエラー情報を前記品質情報として生成する
ことを特徴とする請求項１に記載の受信システム。
【請求項５】
前記画像データは複数の部分データで構成され、
前記品質情報生成部は、前記部分データ毎に前記品質情報を生成し、
前記判定情報生成部は、前記部分データ毎に前記判定情報を生成し、
前記補正部は、前記判定情報に基づいて、前記画像データに対して前記部分データ毎に補正処理を行う
ことを特徴とする請求項１〜請求項４のいずれかに記載の受信システム。
【請求項６】
前記表示部は、前記受信部が受信した複数の前記画像データの中から、前記判定情報に基づいて一部の前記画像データを選択し、選択した前記画像データに基づいて画像を表示することを特徴とする請求項１〜請求項５のいずれかに記載の受信システム。
【請求項７】
前記受信部が受信した複数の前記画像データの中から、前記判定情報に基づいて一部の前記画像データを選択し、選択した前記画像データを記録媒体に記録する記録部を備えたことを特徴とする請求項１〜請求項６のいずれかに記載の受信システム。
【発明の詳細な説明】
【技術分野】
【０００１】
本発明は、無線送信される画像データを受信し、受信した画像データに基づいて画像を表示する受信システムに関する。
【背景技術】
【０００２】
無線通信のエラーによる画像データの劣化検出／回復の方法として、特許文献１には下記の内容が提示されている。
・通信エラーの発生（回線の劣化）を、データに付加された誤り検出コード（ＣＲＣ符号）により検出する。
・通信エラーの発生時にディスプレーをＯＦＦすることや画面の輝度を落とすことで画質の乱れを目立ちにくくする。
【特許文献１】特許第３６６９４１３号公報
【発明の開示】
【発明が解決しようとする課題】
【０００３】
しかし、特許文献１に記載された技術では、通信エラーの発生時に表示状態を工夫し、画像エラーを目立たなくするだけで、画像エラー自体の補正は行われていない。そのため、通信エラー発生時の表示画面の乱れを十分に目立たなくできるとは限らない。
【０００４】
本発明は、上述した課題に鑑みてなされたものであって、表示画像の品質を向上することができる受信システムを提供することを目的とする。
【課題を解決するための手段】
【０００５】
本発明は、上記の課題を解決するためになされたもので、無線送信される画像データを受信する受信部（図４のアンテナ１１、ＲＦ回路１２に対応）と、前記画像データの品質を示す品質情報を生成する品質情報生成部（図４の品質情報生成回路１４、図１８の品質情報生成回路５４に対応）と、前記品質情報に基づいて前記画像データの品質を判定し、判定結果を示す判定情報を生成する判定情報生成部（図４の判定情報生成回路１７、図１８の判定情報生成回路５５に対応）と、前記判定情報に基づいて、前記画像データに対して補正処理を行う補正部（図１の表示機３に対応）と、補正処理後の前記画像データに基づいて画像を表示する表示部（図１の表示機３に対応）とを備えたことを特徴とする受信システムである。
【０００６】
また、本発明の受信システムにおいて、前記品質情報生成部は、前記入力データの変化点を検出し、前記変化点の時間的位置毎の頻度を示すヒストグラムを前記品質情報として生成することを特徴とする。
【０００７】
また、本発明の受信システムは、前記画像データの処理に用いるクロック信号の位相を前記ヒストグラムに基づいて調整する位相調整部（図１０のクロック位相調整回路３９に対応）を備えたことを特徴とする。
【０００８】
また、本発明の受信システムにおいて、前記画像データは、冗長性を有するコードで構成され、前記品質情報生成部は、前記画像データから前記コードの冗長性を取り除く処理を行うと共に、通信に伴う前記画像データのエラーを検出し、前記エラーの検出結果を示すエラー情報を前記品質情報として生成することを特徴とする。
【０００９】
また、本発明の受信システムにおいて、前記画像データは複数の部分データで構成され、前記品質情報生成部は、前記部分データ毎に前記品質情報を生成し、前記判定情報生成部は、前記部分データ毎に前記判定情報を生成し、前記補正部は、前記判定情報に基づいて、前記画像データに対して前記部分データ毎に補正処理を行うことを特徴とする。
【００１０】
また、本発明の受信システムにおいて、前記表示部は、前記受信部が受信した複数の前記画像データの中から、前記判定情報に基づいて一部の前記画像データを選択し、選択した前記画像データに基づいて画像を表示することを特徴とする。
【００１１】
また、本発明の受信システムは、前記受信部が受信した複数の前記画像データの中から、前記判定情報に基づいて一部の前記画像データを選択し、選択した前記画像データを記録媒体に記録する記録部（図１の表示機３に対応）を備えたことを特徴とする。
【００１２】
上記において、括弧で括った部分の記述は、後述する本発明の実施形態と本発明の構成要素とを便宜的に対応付けるためのものであり、この記述によって本発明の内容が限定されるわけではない。
【発明の効果】
【００１３】
本発明によれば、判定情報に基づいて、画像データに対して補正処理を行い、補正処理後の画像データに基づいて画像を表示することによって、表示画像の品質を向上することができるという効果が得られる。
【発明を実施するための最良の形態】
【００１４】
以下、図面を参照し、本発明の実施形態を説明する。以下の各実施形態では、画像データをフレーム単位で間欠的に通信する画像通信システム用の受信機に本発明を適用した場合を例に説明を行う。
【００１５】
（第１の実施形態）
まず、本発明の第１の実施形態を説明する。図１は、本実施形態による無線通信システムの構成を示している。無線通信システムは、送信機１、受信機２、および表示機３を備えている。送信機１は画像データを無線送信する。受信機２は、送信機１から無線送信された画像データを受信し、受信画像ファイル４を生成する。受信画像ファイル４には、画像データと品質情報もしくは判定情報が含まれている。品質情報は画像データ受信時の信号品質に関連する情報であり、判定情報は品質情報から信号品質を判定した結果の情報である。受信画像ファイル４は、有線通信やメモリカードを介したコピー操作等の手段で表示機３に転送される。表示機３は、受信画像ファイル４を受け取った後、受信画像ファイル４に含まれる品質情報もしくは判定情報を用いて画像データに補正処理を行い、表示画像ファイル５を生成する。その後、表示機３は表示画像ファイル５の内容を表示する。
【００１６】
本実施形態では、送信機１から送られる画像データは、送信機１が備える撮像素子での撮影により生成されたデータである。１フレーム分の画像データは、１ライン毎に同期パターンが付加された１ライン単位の画像ブロック（部分データ）として送信される。この画像ブロック毎に品質情報および判定情報が付加される。表示機３の補正処理は画像ブロック単位で行われる。表示機３での補正処理は、ビデオ信号におけるライン補正（ライン補間）処理となる。上記補正処理は従来から各種考案されており、公知であるので、これ以上の説明を省略する。
【００１７】
表示機３は、品質情報もしくは判定情報を用いて品質の良いフレームを選択し、選択したフレームの画像データだけを記録した保存用の画像ファイル（保存画像ファイル）を生成する機能も有している。本実施形態では、受信信号をデジタル化して再生信号を生成し、再生信号のエッジ位置の位相分布を測定してヒストグラムを生成し、得られたヒストグラムを品質情報として使用する例を用いて説明を行う。
【００１８】
図２は、本実施形態の通信データの構成を示している。図示したように画像データはフレーム単位にまとめられ、フレーム２００毎のフレームデータとして通信される。また、休止期間２１０を置いて間欠的に通信が行われる。
【００１９】
フレームデータ中の画像データは、所定の単位で複数のデータブロックに分割される。フレームデータの先頭にはプリアンブル２２０ａが付加され、各ブロックの先頭には同期パターン（ＵＷ：ユニークワード）が付加されている。本実施形態のプリアンブルは、通信の開始を検出し高周波処理回路の動作を安定させるために付加されている。同期パターンは、画像データ中には発生しないパターンで構成されたデータである。本実施形態では、通信データ中の同期パターンが相関演算により検出される。
【００２０】
相関演算は、シンボルレートの整数倍の周波数に設定されている基準クロックを用いて通信データをサンプリングし、サンプリング結果を同期パターンと比較することにより行う。相関演算では、通信データが同期パターンと完全に一致した場合に同期パターン検出信号が‘１’（ＨＩ）となる。そのため、図２に示したように同期パターンの最後の１ｂｉｔの受信タイミングが同期パターンの検出タイミングとなる。
【００２１】
本実施形態のデータブロックには、図２に示したように情報ブロック２２０ｂと画像ブロック２２０ｃの２種類がある。情報ブロック２２０ｂはプリアンブル２２０ａの直後のブロックであり、情報ブロック２２０ｂであることを示す同期パターン（ＵＷ＿１）と送信機の識別番号やタイムスタンプ等のフレーム情報データとで構成されている。画像ブロック２２０ｃは、情報ブロックに続いて送られるブロックであり、画像ブロック２２０ｃであることを示す同期パターン（ＵＷ＿２）と１ライン分の画像データとで構成されている。
【００２２】
フレーム情報データと画像データは受信機２中の再生クロック信号でキャプチャ処理される。フレーム情報データの受信中の期間における再生クロック信号の位相は、上記の相関演算により検出する同期パターン（ＵＷ＿１）の検出タイミングに基づいて調整される。この位相調整方法は公知であるので説明を省略する。
【００２３】
画像データの受信中の期間における再生クロック信号の位相は以下のようにして調整される。すなわち、品質情報生成期間２３０において２値化処理後の受信データの位相分布がブロック単位で測定されて品質情報としてのヒストグラムが生成され、得られたヒストグラムから代表位相が検出され、得られた代表位相に基づいて再生クロック信号の位相が調整される。ヒストグラムに基づいて位相調整を行う方法は、例えば特開平１０−２１５２８９号公報により公知であるので説明を省略する。
【００２４】
図３は、本実施形態における送信機１の構成を示している。送信機１は、撮像ユニット６、データ送信処理回路７、ＲＦ回路８、アンテナ９、および送信制御回路１０を備えている。撮像ユニット６は撮像素子を備えており、画像データを生成する。撮像ユニット６から出力された画像データは、データ送信処理回路７により通信データのフォーマットに変換され、ＲＦ回路８により変調処理され、アンテナ９を介して受信機２に送信される。撮像ユニット６、データ送信処理回路７、およびＲＦ回路８の動作は送信制御回路１０により制御される。
【００２５】
図４は受信機２の構成を示している。受信機２は、アンテナ１１、ＲＦ回路１２、データ再生処理回路１３、品質情報生成回路１４、同期検出回路１５、判定情報生成回路１７、画像ファイル生成回路１６、および受信制御回路１８を備えている。受信機２では、通信データはＲＦ回路１２により復調処理および２値化処理され、再生信号１９が生成される。再生信号１９は、データ再生処理回路１３、品質情報生成回路１４、および同期検出回路１５に供給される。
【００２６】
データ再生処理回路１３は、再生信号１９からバイトデータ信号２４を生成し、画像ファイル生成回路１６に出力する。品質情報生成回路１４は、再生信号１９から、品質情報に相当するヒストグラム信号２１を生成し、判定情報生成回路１７と受信制御回路１８に出力する。同期検出回路１５は、図２の同期パターンＵＷ_１，ＵＷ_２の検出を行い、図２の同期検出信号Ａ，Ｂに対応する同期検出信号２０を受信制御回路１８に出力する。
【００２７】
判定情報生成回路１７は、ヒストグラム信号２１から判定情報信号２５を生成し、画像ファイル生成回路１６に出力する。画像ファイル生成回路１６は、バイトデータ信号 ２４、判定情報信号２５、およびファイルデータ付加データ信号２３を用いて画像ファイルデータ２６を生成する。ファイルデータ付加データ信号２３は、画像ファイルに必要なテーブル情報等を示す信号であり、受信制御回路１８によって生成される。ファイルデータ付加データ信号２３の詳細は公知であるので説明を省略する。画像ファイルデータ ２６は受信画像ファイル４に格納される。
【００２８】
受信制御回路１８は、品質情報生成回路１４からのヒストグラム信号２１と同期検出回路１５からの同期検出信号２０とを用いて再生クロック信号（図４では省略）の位相を調整し、位相調整後の再生クロック信号をデータ再生処理回路１３に供給する。また、受信制御回路１８はバイトラッチ信号（図４では省略）を生成してデータ再生処理回路１３に供給し、さらに各部への制御信号を作成し、受信機２全体の制御を行う。
【００２９】
次に、受信機２内の各回路の詳細を説明する。図５はデータ再生処理回路１３の構成を示している。データ再生処理回路１３はビットラッチ回路２９およびバイトラッチ回路３０を備えている。ＲＦ回路１２からの再生信号１９は、ビットラッチ回路２９によって再生クロック信号２７の立上りエッジでキャプチャされ、バイトラッチ回路３０に出力される。バイトラッチ回路３０は、再生クロック信号２７とバイトラッチ信号２８により８ｂｉｔ分のデータをシリアル・パラレル変換し、１バイト単位のバイトデータ信号２４を生成する。
【００３０】
図６は品質情報生成回路１４の構成を示している。品質情報生成回路１４は、エッジ抽出回路３１、ＡＮＤゲートブロック３２、エッジ数カウンタブロック３３、および位相ゲート信号生成回路３４を備えている。
【００３１】
エッジ抽出回路３１は、再生信号１９の変化点である立上り／立下りの両エッジを検出し、エッジ信号を生成する。生成されたエッジ信号はＡＮＤゲートブロック３２に入力される。位相ゲート信号生成回路３４は、基準期間となる１シンボル期間を１２個の部分位相（以下、省略して位相と記す）に分割し、各位相毎にＨＩレベルとなる１２本のゲート信号（位相（１）＿ゲート信号〜位相（１２）＿ゲート信号）を生成する。位相ゲート信号生成回路３４には、受信制御回路１８からの制御信号（図示せず）が加えられており、ゲート信号のタイミングも受信制御回路１８からの制御信号に基づいて決定される。
【００３２】
ＡＮＤゲートブロック３２は、エッジ信号とゲート信号を用いて、エッジ信号がどの位相に発生しているのかを検出し、各位相に対応したエッジ数カウンタにカウントアップ信号（位相（１）＿カウントアップ信号〜位相（１２）＿カウントアップ信号）を供給する。このＡＮＤゲートブロック３２は、２入力のＡＮＤゲートが１２個組み合わされた構造を有し、片側の入力にはエッジ抽出回路３１からのエッジ信号が加えられ、もう片側の入力には位相ゲート信号生成回路３４からのゲート信号が加えられている。各ＡＮＤゲートから出力された信号はエッジ数カウンタブロック３３中のエッジ数カウンタ（１）〜エッジ数カウンタ（１２）に供給される。
【００３３】
エッジ数カウンタブロック３３は、位相の数に応じた１２個のエッジ数カウンタ（１）〜エッジ数カウンタ（１２）で構成されている。このエッジ数カウンタブロック３３は、各位相毎のエッジ数をカウントすることにより、再生信号１９の位相毎のエッジの検出頻度を示すヒストグラム信号２１を生成する。
【００３４】
図７は品質情報生成回路１４でのヒストグラムの生成方法を示している。品質情報生成回路１４は、１シンボル期間を１２個の位相に分割し、再生信号１９のエッジがどの位相に位置するのかを検出し、検出結果を位相毎に累積することによりヒストグラムを生成する。
【００３５】
図７において、位相測定単位を構成する１つの区間７００が１シンボル期間である。再生信号１９の立上りエッジと、後述する逓倍クロックとの位置関係が、図示した関係となっている場合、再生信号１９がＨＩに変化した直後の逓倍クロックの立上りから次の立上りまで、エッジ信号はＨＩとなって出力される。
【００３６】
また、各ゲート信号が順番にＨＩとなるように、位相（１）＿ゲート信号〜位相（１２）＿ゲート信号がＨＩ期間をずらしながら生成される。前述したように、エッジ信号と各位相のゲート信号はＡＮＤゲートブロック３２に入力されており、図示した例では、エッジ信号（ＨＩ）と位相（６）＿ゲート信号（ＨＩ）が入力されるＡＮＤゲートの出力（位相（６）＿カウントアップ信号）がＨＩとなる。
【００３７】
エッジ数カウンタ（１）〜エッジ数カウンタ（１２）はカウントアップ信号の立上りエッジでカウントアップを行う。図示した例では、エッジ数カウンタ（６）のカウントアップが行われ、エッジ数カウンタ（６）の値はＭからＭ＋１にカウントアップする。図２に示した品質情報生成期間２３０において上記の動作が繰り返されることにより、ヒストグラムが生成される。また、エッジ数カウンタブロック３３の各エッジ数カウンタは、品質情報生成期間２３０の開始直前にリセットされる。
【００３８】
図８は判定情報生成回路１７の構成を示している。判定情報生成回路１７は、ヒストグラムセレクタ３５、判定演算回路３６、および判定演算制御回路３７を備えている。品質情報生成回路１４からのヒストグラム信号２１は、ヒストグラムセレクタ３５により適宜選択されて判定演算回路３６に出力される。判定演算回路３６は、ＤＳＰ等の演算処理回路で構成されており、ヒストグラムで表わされる再生信号１９のエッジの頻度分布からデータブロック毎の品質を判定し、判定情報信号２５を生成する。
【００３９】
この判定の際には、頻度分布の最大値、所定値以上の幅、零の範囲の幅、上位Ｎ個の値の合計値、再生クロック信号２７の位相を示す再生クロック位相情報２２を基準として設定した範囲内の合計値のいずれかが求められ、各々に対する判定基準値との比較が行われる。この詳細は後述する。ヒストグラムセレクタ３５と判定演算回路３６は、判定演算制御回路３７により制御されている。
【００４０】
図９は画像ファイル生成回路１６の構成を示している。画像ファイル生成回路１６は、データ再生処理回路１３からのバイトデータ信号２４と判定情報生成回路１７からの判定情報信号２５と受信制御回路１８からのファイル付加データ信号２３を用いて画像ファイルデータ２６を生成する。バイトデータ信号２４、判定情報信号２５、ファイル付加データ信号２３は、受信制御回路１８からのファイルデータ選択信号に応じてファイルデータセレクタ３８によって選択され、出力される。受信制御回路１８から出力されるファイル制御信号により、ファイルデータセレクタ３８からの出力が記録され、判定情報を含んだ所定のフォーマットで受信画像ファイル４が生成される。
【００４１】
図１０は受信制御回路１８の構成を示している。受信制御回路１８は、クロック位相調整回路３９、バイトラッチ信号生成回路４０、制御信号生成回路４１、逓倍回路４２、および発振回路４３を備えている。発振回路４３は、受信機２全体の動作タイミングを決定するシステムクロックを生成する。システムクロックは、画像データのビットレートと同一に設定されており、１シンボル期間がシステムクロックの１周期となっている。逓倍回路４２は、システムクロックを１２逓倍した逓倍クロックを生成する。逓倍クロックの１周期が、位相ゲート信号生成回路３４が生成する１ゲート期間となっている。
【００４２】
クロック位相調整回路３９は、品質情報生成回路１４からのヒストグラム信号２１、同期検出回路１５からの同期検出信号２０、および逓倍回路４２からの逓倍クロックを用いて、再生クロック信号２７の位相を部分位相単位で調整する。再生クロック信号２７の位相は、ヒストグラムの中心（ヒストグラム値が最大となる位置）であると想定される代表位相から１／２周期分ずれた位置に立上りエッジが来るように調整される。バイトラッチ信号生成回路４０は、再生クロック信号２７、同期検出信号２０、逓倍クロック、およびシステムクロックを用いて、再生クロック信号２７でラッチした再生信号１９を８ｂｉｔ単位のバイトデータ信号２４に変換するためのバイトラッチ信号２８を生成する。制御信号生成回路４１は、同期検出信号２０、逓倍クロック、およびシステムクロックを用いて、受信機２の各種制御に用いる制御信号を生成する。
【００４３】
次に、図１１〜図１４を参照しながら、判定演算回路３６による判定動作を説明する。判定動作には、ヒストグラムのバラツキの程度を判断し、バラツキが大きい場合に品質が悪いと判断するアルゴリズムを使っている。図１１および図１２は、品質の良い場合のヒストグラム例（以下、ヒストグラムＣ１とする）を示し、図１３および図１４は、品質の悪い場合のヒストグラムの例（以下、ヒストグラムＣ２とする）を示している。
【００４４】
（１）最大値による判定動作
ヒストグラムＣ１の最大値は‘１６’（位相値７）である。ヒストグラムＣ２の最大値は９（位相値５，９）である。判定基準として「１０以上」を用いると、ヒストグラムＣ１では品質が良いと判定され、ヒストグラムＣ２では品質が悪いと判定される。
【００４５】
（２）所定値以上の幅による判定動作
所定値を‘１０’、幅の判定基準を「１以上６未満」とする。ヒストグラムＣ１では位相値６，７，８でヒストグラム値が１０以上であり、ヒストグラムＣ２では１０以上のヒストグラム値はない。この場合、ヒストグラムＣ１では幅が‘３’となり品質が良いと判定され、ヒストグラムＣ２では幅が‘０’となり品質が悪いと判定される。
【００４６】
（３）零の範囲の幅による判定動作
幅の判定基準を「３以上」とする。ヒストグラムＣ１では位相値１，２，１２でヒストグラム値が０であり、ヒストグラムＣ２では位相値１でヒストグラム値が０である。この場合、ヒストグラムＣ１では幅が‘３’となり品質が良いと判定され、ヒストグラムＣ２では幅が‘１’となり品質が悪いと判定される。
【００４７】
（４）上位Ｎ個の値の合計値による判定動作
Ｎを‘３’、合計値の判定基準を「３０以上」とする。この場合、ヒストグラムＣ１では上位３位までのヒストグラム値の合計値が‘４１’となり品質が良いと判定され、ヒストグラムＣ２では上位３位までのヒストグラム値の合計値が‘２６’となり品質が悪いと判定される。
【００４８】
（５）再生クロック位相情報２２を基準として設定した範囲内の合計値による判定動作
再生クロック信号２７の位相は、代表位相から１／２周期分ずれた位置に立上りエッジが来るように調整されるため、再生クロック位相情報２２の値が‘１’の場合、ヒストグラムでは、位相値‘１’から１／２シンボル期間ずれた位相値‘７’でヒストグラム値が最大になると考えられる。そのため、ヒストグラム値を合計する範囲を位相値６，７，８の範囲とし、合計値の判定基準を「３０以上」とする。この場合、ヒストグラムＣ１では合計値が‘４１’となり品質が良いと判定され、ヒストグラムＣ２では合計値が‘２２’となり品質が悪いと判定される。
【００４９】
上記のいずれの方法を用いた場合でも、バラツキが大きいヒストグラムＣ２の品質が悪いと判断されることになる。
【００５０】
次に、受信機２の変形例を説明する。図１５は、受信機２の変形例である受信機４４の構成を示している。受信機４４は、受信機２から判定情報の生成機能を省いたものである。この場合、受信画像ファイル４には、判定情報の代わりに品質情報（ヒストグラム）が書き込まれ、表示機３で判定処理が行われるため、受信機４４での処理が軽減される効果がある。図示したように、受信機４４では品質情報生成回路１４が生成したヒストグラム信号２１が画像ファイル生成回路１６に出力される。画像ファイル生成回路１６は受信画像ファイル４に品質情報（ヒストグラム）を書き込む。
【００５１】
次に、表示機３の処理内容を説明する。本実施形態では、表示機３はパーソナルコンピュータであって、各種処理はプログラム処理で行われる。図１６はファイル表示処理の手順を示している。ファイル表示処理４６が実行されると、最初に受信画像ファイル４中に品質情報が格納されているのか、それとも判定情報が格納されているのかが判断される（ステップ４７）。品質情報が格納されている場合、品質判定処理（ステップ４８）が行われる。品質判定処理（ステップ４８）は、受信機２の判定演算回路３６での処理と同様の内容である。
【００５２】
続いて、受信画像ファイル４の判定情報もしくは品質判定処理（ステップ４８）で生成された判定情報に基づいてデータ補正処理（ステップ４９）が行われる。データ補正処理（ステップ４９）は、品質が悪いと判定された画像ブロックへの補正処理であり、公知のアルゴリズムにより実施される。データ補正処理（ステップ４９）が終了すると表示画像ファイル５の生成が完了するため、表示画像ファイル５を用いたデータ表示処理（５０）が行われ、その後、適宜表示が終了する（ステップ５１）。上記のファイル表示処理は１ライン分の画像ブロックに対する処理であり、これが繰り返し実行される。
【００５３】
図１７は、表示機３の代表画面表示モードによる画像表示のイメージを示している。代表画面表示モードは、表示画像ファイル５の生成終了後に行われる表示動作の一つで、図１７に示したように、所定の時間が経過する毎に代表画像を選び、複数の時間帯での代表画像を表示画面中に並べて表示するモードである。例えば、時刻ｔ１〜ｔ２間の各フレームの画像の中から代表画像が選択され、表示画面１６０の領域１６０ｃに代表画像が表示される。同様に、他の複数の時間帯からも代表画像が選択され、各代表画像が表示領域１６０ａ，１６０ｂ，１６０ｄに表示される。
【００５４】
表示機３は、時刻ｔ１〜ｔ２間の代表画像を選択する場合、時刻ｔ１〜ｔ２間の各フレームについて、画像ブロック毎の判定情報を積算する。例えば、品質が良いと判定された画像ブロックの判定情報は‘１’であり、品質が悪いと判定された画像ブロックの判定情報は‘０’であり、表示機３は同一フレーム内で判定情報を積算し、積算値を求める。表示機３は、この積算値が最も高いフレームの画像を、最も品質（画質）が良い画像と判定し、この画像を代表画像として選択して表示する。上記と同様にして、所定時間毎に選択した代表画像を順次表示することによって早送り表示を行ってもよい。
【００５５】
また、表示機３は、以下の保存用ファイル生成処理も行う。保存用ファイル生成処理は、受信画像ファイル４から保存用のファイルを生成する処理である。表示機３は、最初にファイル表示処理と同様に、受信画像ファイル４中に品質情報が格納されているのか、それとも判定情報が格納されているのかを判定し、品質情報が格納されている場合には品質判定処理を行い、判定情報を生成する。続いて、表示機３は１フレーム毎に上記と同様に各画像ブロックの判定情報を積算し、積算結果からそのフレームの画像を保存画像とするか否かを判定する。その後、表示機３は、保存画像とすると判定したフレームの画像を集めて保存用ファイルを生成し、記録媒体に記録する。
【００５６】
上述したように、本実施形態によれば、判定情報に基づいて、画像データに対して補正処理を行い、補正処理後の画像データに基づいて画像を表示することによって、表示画像の品質を向上することができる。また、図４に示した受信機２では画像データの補正処理を行わず、受信品質の判定と画像ファイルの生成だけを行うことによって、受信機２の消費電力や処理時間の増大を抑えることができる。さらに、図１５に示した受信機４４では受信品質の判定を行わずに品質情報を画像データに付加して表示機３へ出力し、表示機３で受信品質の判定を行うことによって、受信機４４の消費電力や処理時間の増大をさらに抑えることができる。
【００５７】
また、前述した特許文献１では画像データに誤り検出コードが付加されている必要があるが、本実施形態によれば、再生信号１９の変化点を検出して品質情報（ヒストグラム）を生成することによって、画像データに誤り検出コードが付加されていなくても、受信品質の検出および判定を行うことができ、通信データ量が削減される。
【００５８】
また、ライン単位で品質情報および判定情報を生成することによって、ライン単位で画像データの補正処理を行うことができる。
【００５９】
また、本実施形態のヒストグラムは、受信品質の検出および判定に用いられると共に再生クロック信号２７の位相調整にも用いられるので、受信品質の検出／判定用の回路および再生クロック信号２７の位相調整用の回路として品質情報生成回路１４を共用することが可能となり、回路を削減することができる。
【００６０】
また、複数の画像データから表示用の画像データを選択する場合に、選択基準に判定情報を使うことによって、高品位な表示画像を選択して表示することができる。
【００６１】
また、複数の画像データから保存用の画像データを選択する場合に、選択基準に判定情報を使うことによって、画質が劣化した画像データを省くことが可能となるので、保存用データファイルの容量を削減すると共に、保存用データファイルを用いた作業を効率化することができる。
【００６２】
（第２の実施形態）
次に、本発明の第２の実施形態を説明する。本実施形態では、無線通信時のデータとして８Ｂ１０Ｂコードを使用し、受信機での１０Ｂ８Ｂデコード処理の過程で検出するエラー情報を品質情報として使用する例を用いて説明を行う。８Ｂ１０Ｂコード以外でも、冗長性があるコード（４Ｂ５Ｂ等）を使用する場合、本実施形態と同様の処理が可能である。本実施形態では、ランレングス長（同一ビットデータの連続数）を制限することを主要な目的として８Ｂ１０Ｂコードを使用しているが、受信機での１０Ｂ８Ｂデコード過程で発生するエラー情報を累積することで受信品質の評価にも利用している。
【００６３】
図１８は、図４に示した受信機２に対応する本実施形態の受信機５２の構成を示している。受信機５２は、アンテナ１１、ＲＦ回路１２、データ再生処理回路５３、品質情報生成回路５４、同期検出回路１５、画像ファイル生成回路１６、判定情報生成回路５５、および受信制御回路１８を備えている。図４と同一機能のブロックには、同一符号が付与されている。受信機５２での、ＲＦ回路１２および同期検出回路１５の動作は第１の実施形態と同じであるので説明を省略する。再生信号１９がデータ再生処理回路５３に供給され、再生信号１９からバイトデータ信号２４と、データエラーの有無を示すエラー情報信号６３が生成される。データ再生処理回路５３の詳細は後述する。
【００６４】
品質情報生成回路５４は、エラー情報信号６３を用いて画像ブロック毎のエラー発生数をカウントし、エラー数信号６８を生成する。判定情報生成回路５５は、エラー数信号 ６８が示すエラー数と、受信制御回路５６が設定した判定基準値５７とを比較し、画像ブロックの品質判定結果である判定情報信号５８を生成し、画像ファイル生成回路１６に出力する。画像ファイル生成回路１６は、第１の実施形態と同様の動作により画像ファイルデータ２６を生成する。
【００６５】
図１９はデータ再生処理回路５３の構成を示している。データ再生処理回路５３は、ビットラッチ回路２９、ワードラッチ回路５９、および１０Ｂ８Ｂ変換回路６０を備えている。図５と同一機能のブロックには、同一符号が付与されている。再生信号１９は、ビットラッチ回路２９によって再生クロック信号６１の立上りエッジでキャプチャされ、ワードラッチ回路５９に出力される。ワードラッチ回路５９は、再生クロック信号６１とワードラッチ信号６２によりビットラッチ回路２９の出力信号をキャプチャし、１０ｂｉｔ分のデータを１０ｂｉｔ（１ワード）のパラレル信号として１０Ｂ８Ｂ変換回路６０に出力する。１０Ｂ８Ｂ変換回路６０は、公知の１０Ｂ８Ｂデコーダ回路であり、冗長性を有する１０ｂｉｔデータを８ｂｉｔデータ（バイトデータ信号２４）に変換する場合に、１０ｂｉｔデータのパターンがコードとして存在していなければ、最も近い８ｂｉｔデータに変換すると共に、エラー情報信号６３を発生する。
【００６６】
図２０は受信制御回路５６の構成を示している。受信制御回路５６は、クロック位相調整回路６４、ワードラッチ信号生成回路６５、制御信号生成回路６６、逓倍回路４２、および発振回路４３を備えている。図１０と同一機能のブロックには、同一符号が付与されている。クロック位相調整回路６４は、同期検出回路１５からの同期検出信号２０の立上り位相を用いて、再生クロック信号６１の位相を調整する。ワードラッチ信号生成回路 ６５は、再生クロック信号６１でラッチした再生信号１９を１０ｂｉｔ単位のワードデータ信号に変換するためのワードラッチ信号６２を生成する。制御信号生成回路６６は、同期検出信号２０、逓倍クロック、およびシステムクロックを用いて、受信機５２の各種制御に用いる制御信号を生成する。
【００６７】
図２１は品質情報生成回路５４の構成を示している。品質情報生成回路５４は、データ再生処理回路５３から出力されたエラー情報信号６３の発生数を画像ブロック単位でカウントする。１０Ｂ８Ｂ変換中のワードにエラーが有る場合、エラー情報信号６３に１個のパルス信号が発生する。エラー数カウンタ６７がエラー情報信号６３のパルス数を画像ブロック毎にカウントすることによりエラー数信号６８が生成される。エラー数カウンタ ６７は、受信制御回路５６からのエラーカウントリセット信号でリセット処理される。
【００６８】
図２２は判定情報生成回路５５の構成を示している。比較回路６９には、品質情報生成回路５４からのエラー数信号６８と受信制御回路５６からの判定基準値５７が入力されており、エラー数信号６８の値が判定基準値５７を超えるか否かを判定し、判定情報信号５８を生成する。エラー数信号６８の値が判定基準値５７を超えた場合には品質が悪いと判定され、エラー数信号６８の値が判定基準値５７以下の場合には品質が良いと判定され、各判定結果に応じた判定情報信号５８が生成される。
【００６９】
次に、受信機５２の変形例を説明する。図２３は、受信機５２の変形例である受信機７０の構成を示している。受信機７０は、受信機５２から判定情報の生成機能を省いたものである。この場合、受信画像ファイル４には、判定情報の代わりに品質情報（エラー数情報）が書き込まれ、表示機３で判定処理が行われるため、受信機７０での処理が軽減される効果がある。図示したように、受信機７０では品質情報生成回路５４が生成したエラー数情報６８が画像ファイル生成回路１６に出力される。画像ファイル生成回路１６は受信画像ファイル４に品質情報（エラー数情報）を書き込む。
【００７０】
上述したように、本実施形態によれば、第１の実施形態と同様に表示画像の品質を向上することができる。また、１０Ｂ８Ｂコード等のコードを変換するときに検出されるエラー情報を利用して画像データの劣化検出を行うため、第１の実施形態のような再生信号１９の位相成分の検出手段とは無関係に受信品質の検出および判定を行うことが可能となる。さらに、受信品質の検出／判定用に誤り検出コードを付加することは不要なので、通信データ量が削減される。
【００７１】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００７２】
【図１】本発明の第１の実施形態による無線通信システムの構成を示すブロック図である。
【図２】本発明の第１の実施形態における通信データの構成を示す参考図である。
【図３】本発明の第１の実施形態による無線通信システムが備える送信機の構成を示すブロック図である。
【図４】本発明の第１の実施形態による無線通信システムが備える受信機の構成を示すブロック図である。
【図５】本発明の第１の実施形態による無線通信システムが備える受信機内のデータ再生処理回路の構成を示すブロック図である。
【図６】本発明の第１の実施形態による無線通信システムが備える受信機内の品質情報生成回路の構成を示すブロック図である。
【図７】本発明の第１の実施形態におけるヒストグラムの生成方法を説明するためのタイミングチャートである。
【図８】本発明の第１の実施形態による無線通信システムが備える受信機内の判定情報生成回路の構成を示すブロック図である。
【図９】本発明の第１の実施形態による無線通信システムが備える受信機内の画像ファイル生成回路の構成を示すブロック図である。
【図１０】本発明の第１の実施形態による無線通信システムが備える受信機内の受信制御回路の構成を示すブロック図である。
【図１１】本発明の第１の実施形態における判定動作を説明するためのヒストグラムである。
【図１２】本発明の第１の実施形態における判定動作を説明するための参考図である。
【図１３】本発明の第１の実施形態における判定動作を説明するためのヒストグラムである。
【図１４】本発明の第１の実施形態における判定動作を説明するための参考図である。
【図１５】本発明の第１の実施形態による無線通信システムが備える受信機の構成を示すブロック図である。
【図１６】本発明の第１の実施形態におけるファイル表示処理の手順を示すフローチャートである。
【図１７】本発明の第１の実施形態における代表画面表示モードによる画像表示のイメージを示す参考図である。
【図１８】本発明の第２の実施形態による無線通信システムが備える受信機の構成を示すブロック図である。
【図１９】本発明の第２の実施形態による無線通信システムが備える受信機内のデータ再生処理回路の構成を示すブロック図である。
【図２０】本発明の第２の実施形態による無線通信システムが備える受信機内の受信制御回路の構成を示すブロック図である。
【図２１】本発明の第２の実施形態による無線通信システムが備える受信機内の品質情報生成回路の構成を示すブロック図である。
【図２２】本発明の第２の実施形態による無線通信システムが備える受信機内の判定情報生成回路の構成を示すブロック図である。
【図２３】本発明の第２の実施形態による無線通信システムが備える受信機の構成を示すブロック図である。
【符号の説明】
【００７３】
１・・・送信機、２，４４，５２，７０・・・受信機、３・・・表示機、１１・・・アンテナ、１２・・・ＲＦ回路、１３，５３・・・データ再生処理回路、１４，５４・・・品質情報生成回路、１５・・・同期検出回路、１６・・・画像ファイル生成回路、１７，５５・・・判定情報生成回路、１８，５６・・・受信制御回路
【図１】
2009231977.tif 000003
【図２】
2009231977.tif 000004
【図３】
2009231977.tif 000005
【図４】
2009231977.tif 000006
【図５】
2009231977.tif 000007
【図６】
2009231977.tif 000008
【図７】
2009231977.tif 000009
【図８】
2009231977.tif 000010
【図９】
2009231977.tif 000011
【図１０】
2009231977.tif 000012
【図１１】
2009231977.tif 000013
【図１２】
2009231977.tif 000014
【図１３】
2009231977.tif 000015
【図１４】
2009231977.tif 000016
【図１５】
2009231977.tif 000017
【図１６】
2009231977.tif 000018
【図１７】
2009231977.tif 000019
【図１８】
2009231977.tif 000020
【図１９】
2009231977.tif 000021
【図２０】
2009231977.tif 000022
【図２１】
2009231977.tif 000023
【図２２】
2009231977.tif 000024
【図２３】
2009231977.tif 000025